(57)【要約】【課題】バックライト装置の光透過拡散板に代えて透明板と曇り値の大きい光学シートによって全光線透過率が制御可能でピンムラ及び輝度ムラの少ないバックライト装置を提供する。【解決手段】バックライト装置６の筐体１の開口部１ａ上に板状拡散手段１０として透明板１０上に光学シート１１をラミネートし、光学シート１１の曇り値を選択して、全光線透過率を自由に選択し、ピン７等の支持部材のピンムラや輝度ムラを減少させる。【選択図】        図１
2004219838.tif 000002
【特許請求の範囲】
【請求項１】
筐体内に、円筒状光源が配されると共に、上記筐体の内面上に反射体が形成され、上記筐体の開口部に、板状拡散手段が配されてなるバックライト装置において、
上記板状拡散手段は、上記筐体の開口部に配された透明板及び光学シートとで構成させたことを特徴とするバックライト装置。
【請求項２】
前記筐体の前記開口部上に前記透明板が配され、該透明板上に光学シートを載置して、前記板状拡散手段の全光線透過率を制御して成ることを特徴とする請求項１記載のバックライト装置。
【請求項３】
前記光学シートを拡散シート及びプリズムシート等の複数のシートで構成させて成ることを特徴とする請求項１又は請求項２記載のバックライト装置。
【請求項４】
前記板状拡散手段の前記透明板を透明合成樹脂或は透明ガラスで構成させて成ることを特徴とする請求項１記載乃至請求項３記載のいずれか１項記載のバックライト装置。
【請求項５】
前記板状拡散手段の前記透明板の厚みを０．５〜２．６ｍｍと成したことを特徴とする請求項１乃至請求項４記載のいずれか１項記載のバックライト装置。
【請求項６】
前記透明板を支持部材に兼用していることを特徴とする請求項１乃至請求項５記載のいずれか１項記載のバックライト装置。
【発明の詳細な説明】
【０００１】
【発明の属する技術分野】
本発明は、液晶表示装置に装着されるバックライト装置に係わり、特に、ピンムラ及び輝度ムラを少なくしたバックライト装置に関する。
【０００２】
【従来の技術】
マイクロコンピュータ、テレビジョン受像機等の電子機器の表示装置として利用されている液晶表示装置（以下ＬＣＤと記す）は非発光性のため、バックライト装置の様な外部照射用の光源を必要としている。
【０００３】
この様なバックライト装置としては円筒状光源に冷陰極管又は熱陰極管等の細径の蛍光管を用いるのが一般的であり、構造としては導光板の側面に円筒状光源を配設したエッジライト方式と、筐体内部に反射体（以下反射板と記す）及び円筒状光源を収納し、筐体開口に配設した光透過拡散板に円筒状光源からの直接光及び円筒状光源からの光を反射板で反射させた光を光透過拡散板で入射拡散させて均一な面状光を出光させる様にした直下方式が知られている。
【０００４】
上述の直下方式或はエッジライト方式はＬＣＤの要求性能に応じて選択されるが直下方式は円筒状光源の直接光を利用するためエッジライト方式に比較して光の利用効率が高く、モニタ用、テレビジョン受像機用等の高輝度を必要とする用途に適している。
【０００５】
図７（Ａ）は従来の直下方式のバックライト装置を示す平面図であり、図７（Ｂ）は図７（Ａ）のＡ−Ａ′断面矢視図、図７（Ｃ）は図７（Ａ）のＢ−Ｂ′断面矢視図を示している。
【０００６】
バックライトのランプハウスとなる筐体１は上面に開口部１ａを有する断面が台形状の箱状と成され、合成樹脂で一体成型するか、金属板或は金属板と合成樹脂を組み合わせて作製する。
【０００７】
筐体１内には高反射塗料を塗布するか、高反射フィルム材等を貼着させて反射面としての反射板２を形成する。
【０００８】
光源を構成する円筒状光源３は筐体１の底面から１〜２ｍｍ程度離間した位置に保持されるように端部を射出成型で得た円筒光源支持台５（図７（Ａ）〜（Ｃ）では筐体１の側板と一体化されている）に固定しており、配置する円筒状光源３の本数は要求される輝度によって決定する。
【０００９】
上記した各部品を組み立て、上面に乳白色アクリル樹脂等を用いた乳白色光透過拡散板４を開口部１ａを覆う様に配置させることでバックライト装置６が構成され、円筒状光源３から放射状に発した光は直接或は筐体１内の反射板２で反射されて乳白色光透過拡散板４に到達し、乳白色光透過拡散板４で面発光に変換される。
【００１０】
又、乳白色光透過拡散板４の表面には少なくとも１枚の光学シートとしての集光シート９が配設されて照光面の法線方向に光を集光させている。
又、光透過拡散板４の中央部分での垂れ下りを防止するために筐体１の底面からピン７を立設する様に成されている。この様なバックライト装置は特許文献１に詳記されている。
【００１１】
【特許文献１】
特許公開２００２−１１６７０５（図１０、図１１）
【００１２】
【発明が解決しようとする課題】
上述の様な従来のバックライト装置に用いられる乳白色アクリル樹脂を用いた乳白色光透過拡散板４は板材の製作過程に於いて、樹脂内に所定の拡散剤を添加することで予め所定の透過率を有する板材を成型するため多くの製造工程と多くの手間を要するためユーザサイドで希望の全光透過率や曇り量が選択出来ず、高価となる課題を有していた。
【００１３】
又、直下方式のバックライト装置６では光透過拡散板４をコストダウン等の為に取り除いたものも提案されている。然し、この様なバックライト装置６はＬＣＤ表示装置の画面の口径寸法が１０．４インチ以下のものであり、これより画面口径寸法の大きい集光シート９のみでは図７（Ｂ）の様に撓み２０が生じ、円筒光源３或は反射板２と集光シート９間の距離は周辺の距離と中心部分ではＴ１  に示す様には厚みが薄くなることにより照光面上では視覚的に明るいところと暗いところが発生して輝度ムラやピンムラが問題となる。
【００１４】
図８はＬＣＤ表示装置の画面の口径寸法（画面サイズ：画面の対角線間のインチ寸法）を横軸にとり、縦軸に画面中心位置で光透過拡散板４を設けない場合の集光シート９の最大撓み量をプロットしたものである。
【００１５】
この画面の口径寸法（サイズ）と集光シート９の撓み量との関係をみると、画面サイズが１０．４インチ以下では撓み量は零であり、筐体１の開口部１ａ上に直接集光シート９を配設する様にしても、特に問題は生じないことが解る。然し、ＬＣＤ装置の画面サイズ（筐体１の開口部１ａの画面サイズと略同一であるので以後、筐体１の開口部１ａの口径サイズとして説明する）が１６インチを越えた場合の撓み２０の量は図８の直線２２の様に５ｍｍにもなり、叙上の様に輝度ムラやピンムラが大幅に増大する問題が発生する。この為にピン７を設けると、このピン７が照光面上に影として写り、ピンムラを更に増大させる。
【００１６】
本発明は叙上の課題を解消するために成されたもので、発明が解決しようとする課題は光透過拡散板を用いることなく、廉価な透明板を用いて、撓みを防止すると共に、支持部材のピンに依って生ずるピン部分の影（ピンムラ）や輝度ムラが生じない様にしたバックライト装置を提供しようとするものである。
【００１７】
【課題を解決するための手段】
第１の本発明は筐体内に、円筒状光源３が配されると共に、筐体１の内面上に反射体２が形成され、筐体１の開口部１ａに、板状拡散手段１０が配されてなるバックライト装置において、板状拡散手段１０は、筐体１の開口部１ａに配された透明板１２及び光学シート１１とで構成させたことを特徴とするバックライト装置６としたものである。
【００１８】
第２の本発明は円筒状光源３の開口部１ａ上に透明板１２が配され、この透明板１２上に光学シート１１を載置して板状拡散手段１０の全光線透過率を制御して成ることを特徴とするバックライト装置としたものである。
【００１９】
第３の本発明は光学シート１１を拡散シート１１ａ，１１ｃ及びプリズムシート１１ｂ等の複数のシートで構成させて成ることを特徴とするバックライト装置としたものである。
【００２０】
第４の本発明は板状拡散手段１０を構成する透明板１２を透明合成樹脂或は透明ガラスで構成させたバックライト装置としたものである。
【００２１】
第５の本発明は板状拡散手段１０の透明板１２の厚みを０．５〜２．６ｍｍと成したバックライト装置としたものである。
【００２２】
第６の本発明は透明板１２と支持部材７を兼用させたバックライト装置としたものである。
【００２３】
斯かる、本発明のバックライト装置に依れば下記の効果が得られる。
（イ）支持部材と光学シート間の距離を所定距離だけ離すことで、照光面上の支持部材による輝度ムラやピンムラを減少し、支持部材の目立ちの少ないバックライト装置を得ることが出来る。
（ロ）板状拡散手段を得る為に透明板と光学シートとを組合せる場合に光学シートに高曇り値のシートを用いることで所望の希望する全光線透過率を有する板状拡散手段をユーザサイドで得ることが出来る。
（ハ）大口型の画面サイズでも支持部材によって光学シートの撓みを防止して輝度ムラやピンムラの発生を防止出来る。
【００２４】
【発明の実施の形態】
以下、本発明の１形態例を示すバックライト装置の構成を図１乃至図５によって説明する。尚、図６乃至図８の従来構成との対応部分には同一符号を付して説明する。
図１（Ａ），（Ｂ）は本発明のバックライト装置の筐体上の平面図及び図１（Ａ）のＡ−Ａ′断面矢視図を示すものであり、図２は本発明に用いる他の構成を示す板状拡散手段の側断面図及び支持部材の斜視図及び支持部材の斜視図である。
【００２５】
図１（Ａ），（Ｂ）及び図２に示す本発明のバックライト装置６の筐体１は平面形状が長方形（厚みｔ＝２ｍｍのアルミニウム板）であり、筐体１の内部には、複数本の円筒状光源（例えば、冷陰極管）３が、互に平行に配されている。筐体１の内面には図１（Ｂ）に示す様に白色の反射面から成る反射板２が配され、この反射板２の所定位置に支持部材と成るピン７が形成され、その四辺は反射効率を高めるため傾斜させた傾斜部２ｂとされ、断面略台形となる様に成されている。
【００２６】
更に、筐体１の図１（Ｂ）の側断面図に示す様に内面に並設される複数の円筒状光源３の電極部５が配される筐体１の底部１ｂの裏面にはインバータ回路基板１０が固定されている。
【００２７】
更に、本発明のバックライト装置６は図１（Ｂ）に示す様に筐体１の開口部１ａを覆う様に、例えば、透明なアクリル樹脂、ポリカーボネート、シクロオレフィンポリマ樹脂等の合成樹脂又は透明な板状ガラスからなる長方形状の透明板１２で構成される。例えば透明アクリル樹脂で厚み１ｍｍのものでは全光線透過率は８５％以上が選択される。
【００２８】
この透明板１２の上には高曇り値の光学シート１１がラミネートされる。この光学シート１１としては例えば厚み１２５μｍのＰＥＴ（ポリエチレンテレフタレート製）で構成されている。
【００２９】
この光学シート１１の全光線透過率は７０％±１０％程度で曇り値は８０％以上のものを選択する。
【００３０】
光学シート１１の材質はＰＥＴに限らずアクリル、ポリカーボネート、シクロオレフィンポリマ等も選択可能である。
【００３１】
この様な光学シート１１と透明板１２によって板状拡散手段１０を構成する。この板状拡散手段１０上には液晶パネル８を枠部材１３や抑え部材１４を介して固定する様に成されている。
【００３２】
更に、筐体１の底部１ｂからは円錐状でチップ部が半球状と成された複数のピン７から成る支持部材が立設されている。
【００３３】
又、光学シート１１の他の構成としては図２（Ａ）に示す様に透明板１２上にＰＥＴよりなる第１の拡散シート１１ａを配設し、その上にＰＥＴ等のプリズムシート１ｂを配し、更にこのプリズムシート１１ｂ上にＰＥＴから成る第２の拡散シート１１ｃ等の複数シートを配設させる様にしてもよい。
【００３４】
図２（Ｂ）に示す構成は複数の円筒状光源３を筐体１の長方形状の開口部１ａの短辺方向に並設して、透明板１２をピン７を用いずに支持部材に兼用した場合である。図２（Ｂ）の場合は透明板１２の形状は開口部１ａと略同寸法の長方形状の２ｍｍ程度の板材で構成させているが図２（Ｃ）に示す様に支持部材７と兼用の透明板１２を十字状等の適宜形状と成すことが出来る。
【００３５】
〔実施例〕
以下、本発明の透明板１２として厚さ２ｍｍの透明アクリル板を筐体１の開口部１ａ上に配設し、曇り値が８２．４％で全光線透過率が６９．４％の（シート名，Ｄ１２３，ポリエチレンテレフタレート製）と、従来例として厚みが２ｍｍの乳白色の光透過拡散板４を用いた場合の輝度と輝度比並びにその光量分布特性曲線を夫々図３及び図６に示す。
【００３６】
図６（Ａ），（Ｂ）及び図３（Ａ），（Ｂ）は板状拡散手段１０上の図６（Ｃ）で示す各ポイント（１）乃至（９）部分での輝度を測定した結果を示すもので本発明の実施例に於ける各ポイント（１）乃至（９）での輝度と従来例の光透過拡散板４での輝度は平均輝度に置いても図６（Ｂ）に示す様に従来が５７９０ｃｄ／ｍ２  であるのに対し、本発明では図３（Ｂ）の様に５８５２ｃｄ／ｍ２  であり、輝度比で比較しても１０１．１％であり、ほとんど変わらない輝度が得られ、輝度ムラに於いて１．１７に対し、本発明では１．１６と従来例と変らない輝度ムラを得ている。
【００３７】
一方、図６（Ａ）と図３（Ａ）の輝度分布特性曲線をみると図６（Ａ）では照光面の中心部近傍から周辺部に至る輝度が急激に変化する部分、即ち、輝度変化率のベクトルＶＬＥが本発明では勾配が緩やかになっている。この様に勾配が急であると人の視覚では輝度変化率の大きいときはこの部分で輝度ムラがある様に認識してしまうことになるが、本発明の実施例では、この点が廉価な透明板を用いているにもかかわらず改善されている。
【００３８】
更に、支持部材としてのピン７の先端と光学シート１１間の距離を横軸にとり、縦軸にピンムラ％をとったピンムラの関係特性曲線を図４及び図５に示す。
【００３９】
図４及び図５は共に照光面上のピン７上の輝度Ａと、該位置から左右１０ｍｍ位置での平均輝度Ｂを測定し、輝度Ｂ／輝度Ａ×１００−１００の計算式に基づいてピンムラを計測したものである。
【００４０】
図４の曲線２４は空間上のピン７の頂部と測定距離である所定距離位置でのピンムラを示し、曲線２５は同じくピン７の頂部と所定距離（空間）離間させた位置に光学シート１１を配した光学シート１１上のピンムラを示している。
【００４１】
図５の曲線２６は図１（Ａ），（Ｂ）に示したと同様構成のバックライト装置６のピン７上の光学シート１１のピンムラであり、透明板１２の厚みを順次変化させ、光学シート１１として前記したＤ１２３を１枚透明板１２上に載置した場合のピンムラ測定曲線を示すものである。
【００４２】
上述の図４及び図５の曲線２４及び２５と曲線２６とを比較すると略同様の特性曲線を示し、ピンムラが限りなく０に近づくためには光学シート１１と支持部材であるピン７の頂部との距離を２．６ｍｍ以上離間させる必要があるが、ピンムラ３％以下に抑えるためには空間距離即ち、透明板１２の厚みを夫々０．５ｍｍ以上で２．６ｍｍ以内に選択すればよいことが解る。
【００４３】
これら、測定結果を基に図３（Ａ），（Ｂ）に示す様に透明板１２にアクリル合成樹脂として２ｍｍ厚で全光透過率８０％を選択し、光学シート１１として高い曇り率（８１．４％）を有し全光透過率６９．４％を選択した場合の輝度特性曲線では従来の高価な乳白色の光透過拡散板４を用いることなく、廉価な透明アクリル樹脂等の透明板１１或は全く透明板１１を配設しない空間だけでも所定の距離、ピン７の先端から離間した位置に光学シート１１を配設すればよいことが解る。
【００４４】
従って、ピン７の代りに所定厚みの透明板１２を支持部材としてのピン７の代りに図２（Ｂ），（Ｃ）の様に兼用させることが可能と成る。
【００４５】
勿論、透明板１２が１ｍｍ程度で開口部サイズが２０〜４０インチに成る様なバックライト装置ではピン７を撓みを生ずる所定位置に立設することが好ましい。
【００４６】
【発明の効果】
本発明のバックライト装置に依れば高価な乳白色の光透過板拡散を用いることなく、光学シートと透明板によって所望の曇り値を有する板状拡散手段がユーザサイドで選択可能で、全光線透過率を自由に制御することが可能なものが得られると共にピンムラを減少可能なバックライト装置を得ることが出来る効果を有する。
【図面の簡単な説明】
【図１】本発明のバックライト装置の１形態例を示す平面図及び側断面図である。
【図２】本発明のバックライト装置の他の形態例を示す要部側断面図及び支持部材の斜視図である。
【図３】本発明のバックライト装置の照光面上の輝度特性曲線図及び輝度測定表である。
【図４】本発明のバックライト装置に適用可能なピン及び光学シート間とピンムラの関係を示す曲線図である。
【図５】本発明のバックライト装置に用いるシート及び光学シート間とピンムラの関係を示す曲線図である。
【図６】従来のバックライト装置の照光面上の輝度特性曲線及び輝度測定表並びに測定方法を説明する説明図である。
【図７】従来のバックライト装置の平面図及び７ＡのＡ−Ａ′及びＢ−Ｂ′断面矢視図である。
【図８】従来の画面サイズと撓みの関係を示す曲線図である。
【符号の説明】
１‥‥筐体、１ａ‥‥開口部、１ｂ‥‥底部、２‥‥反射板、２ｂ‥‥傾斜部、３‥‥円筒状光源、４‥‥光透過拡散板、６‥‥バックライト装置、７‥‥ピン（支持装置）、１０‥‥板状拡散手段、１１‥‥光学シート、１２‥‥透明板
【図１】
2004219838.tif 000003
【図２】
2004219838.tif 000004
【図３】
2004219838.tif 000005
【図４】
2004219838.tif 000006
【図５】
2004219838.tif 000007
【図６】
2004219838.tif 000008
【図７】
2004219838.tif 000009
【図８】
2004219838.tif 000010